(57)【要約】【課題】べゼルレス化を可能にする。【解決手段】本実施形態の照明器具は、導光板と、反射機構と、反射板と、光源とを具備する。導光板は、互いに対向する出光面および背面を有し、光を導光する平板状である。反射機構は、導光板の背面に設けられ、背面へ向かう光を導光板の出光面側へ反射する。光源は、導光板の平面視において導光板の第１の角付近のみに配置され、第１の角の対角に位置する第２の角付近に向けて導光板に光を入射する。【選択図】図３
2016181444.tif 000002
【特許請求の範囲】
【請求項１】
互いに対向する出光面および背面を有し、光を導光する平板状の導光板と；
前記導光板の前記背面に設けられ、前記背面へ向かう光を前記導光板の前記出光面側へ反射する反射機構と；
前記導光板の前記背面側に設けられた反射板と；
前記導光板の平面視において前記導光板の第１の角付近のみに配置され、前記第１の角の対角に位置する第２の角付近に向けて前記導光板に光を入射する光源と；
を具備することを特徴とする照明器具。
【請求項２】
前記反射機構は、複数の反射部を含み、
前記複数の反射部は、前記光源が配置される前記第１の角付近における密度が最も低く、前記第１の角に隣接する第３の角付近における密度が最も高く、前記第２の角付近の密度は前記第１の角付近の密度と前記第３の角付近の密度との間になるように、前記導光板の前記背面における密度を段階的に変化させるように設けられる
ことを特徴とする請求項１に記載の照明器具。
【請求項３】
前記光源を保持し前記導光板における前記光源からの光が入光する部分を覆う化粧枠；
をさらに具備することを特徴とする請求項１または請求項２に記載の照明器具。
【請求項４】
前記導光板は、前記導光板の平面視における前記第１の角が切り欠かれた切欠部を有し、
前記光源は、前記導光板の前記切欠部に形成される面に光を照射する位置に配置される
ことを特徴とする請求項１〜３のいずれか１項に記載の照明器具。
【請求項５】
前記導光板は、前記導光板の平面視における前記第１の角から前記導光板の厚み方向に交差する方向に突出する凸部を有し、
前記光源は、前記導光板の前記凸部に形成される前記導光板の厚み方向に沿う面に光を照射する位置に配置される
ことを特徴とする請求項１〜４のいずれか１項に記載の照明器具。
【発明の詳細な説明】
【技術分野】
【０００１】
本発明の実施形態は、照明器具に関する。
【背景技術】
【０００２】
従来から、導光板を使った照明器具が提供されている。このような導光板を使った照明器具においては、導光板の辺に配置された光源から出射した光を導光させ、拡散板を透過して光を照射している。従来の照明器具においては、光源は導光板の辺に沿って配置される。例えば、図１７及び図１８に示す従来例に係る照明器具５００においては、複数の光源５１０が導光板５２０の辺に沿って配置される。なお、光源５１０は、目につかないよう化粧枠によってその周辺が隠される。
【先行技術文献】
【特許文献】
【０００３】
【特許文献１】特開２００５−１３５８６０号公報
【発明の概要】
【発明が解決しようとする課題】
【０００４】
しかしながら、上述したような、導光板の辺に光源を配置する照明器具の場合、隠す範囲が多くなり、照明器具に対して発光面が小さくなりやすく、べゼルレス化が難しい。
【０００５】
本発明は、べゼルレス化が可能な照明器具を提供することを目的とする。
【課題を解決するための手段】
【０００６】
本実施形態の照明器具は、照明器具は、導光板と、反射機構と、反射板と、光源とを具備する。導光板は、互いに対向する出光面および背面を有し、光を導光する平板状である。反射機構は、導光板の背面に設けられ、背面へ向かう光を導光板の出光面側へ反射する。光源は、導光板の平面視において導光板の第１の角付近のみに配置され、第１の角の対角に位置する第２の角付近に向けて導光板に光を入射する。
【発明の効果】
【０００７】
本発明によれば、べゼルレス化することができる。
【図面の簡単な説明】
【０００８】
【図１】図１は、実施形態に係る照明器具を用いた表示装置の一例を示す図である。
【図２】図２は、実施形態に係る照明器具を用いた表示装置の一例を示す分解斜視図である。
【図３】図３は、実施形態に係る照明器具を示す平面図である。
【図４】図４は、実施形態に係る照明器具の要部を示す平面図である。
【図５】図５は、実施形態に係る照明器具の要部を示す図４のＡ−Ａ断面図である。
【図６】図６は、従来例に係る導光板における反射部密度の分布を示す図である。
【図７】図７は、実施形態に係る導光板における反射部密度の分布を示す図である。
【図８】図８は、実施形態に係る光源を辺付近に配置した場合の照明器具の導光板における反射部密度の分布を示す図である。
【図９】図９は、従来例に係る照明器具の均斉度を示す図である。
【図１０】図１０は、実施形態に係る照明器具の均斉度を示す図である。
【図１１】図１１は、実施形態に係る光源を辺付近に配置した場合の照明器具の均斉度を示す図である。
【図１２】図１２は、図９〜図１１に示す均斉度を比較した結果を示す図である。
【図１３】図１３は、変形例１に係る照明器具を示す平面図である。
【図１４】図１４は、変形例２に係る照明器具を示す平面図である。
【図１５】図１５は、変形例２に係る照明器具の要部を示す平面図である。
【図１６】図１６は、変形例２に係る化粧枠を有する照明器具の要部を示す平面図である。
【図１７】図１７は、従来例に係る照明器具を示す平面図である。
【図１８】図１８は、従来例に係る照明器具の要部を示す図１７のＢ−Ｂ断面図である。
【発明を実施するための形態】
【０００９】
以下で説明する実施形態及び変形例１，２に係る照明器具１００，１００Ａ，１００Ｂは、互いに対向する出光面２０ｂおよび背面２０ａを有し、光を導光する平板状の導光板２０，２０Ａ，２０Ｂと、導光板２０，２０Ａ，２０Ｂの背面２０ａに設けられ、背面２０ａへ向かう光を導光板２０，２０Ａ，２０Ｂの出光面２０ｂ側へ反射する反射機構と、導光板２０，２０Ａ，２０Ｂの平面視において、導光板２０，２０Ａ，２０Ｂの第１の角２４ａ，２４Ａａ，２４Ｂａ付近のみに配置され、第１の角２４ａ，２４Ａａ，２４Ｂａの対角に位置する第２の角２４ｃ，２４Ａｃ，２４Ｂｃ付近に向けて導光板２０，２０Ａ，２０Ｂに光を入射する光源１０とを具備する。なお、「角付近」とは、当該角に隣接し、導光板２０の外郭を形成する主たる他の角よりも当該角に極めて近いことを意味するものであり、当該角から離れた位置も許容するものとする。
【００１０】
また、以下で説明する実施形態及び変形例２に係る照明器具１００，１００Ｂは、反射機構は、複数の反射部２１ａを含み、複数の反射部２１ａは、光源１０が配置される第１の角２４ａ，２４Ｂａ付近における密度が最も低く、第１の角２４ａ，２４Ｂａに隣接する第３の角２４ｂ，２４Ｂｂ，２４ｄ，２４Ｂｄ付近における密度が最も高く、第２の角２４ｃ，２４Ｂｃ付近の密度は第１の角２４ａ，２４Ｂａ付近の密度と第３の角２４ｂ，２４Ｂｂ，２４ｄ，２４Ｂｄ付近の密度との間になるように、導光板２０，２０Ｂの背面２０ａにおける密度を段階的に変化させるように設けられる。
【００１１】
また、以下で説明する実施形態及び変形例１，２に係る照明器具１００，１００Ａ，１００Ｂは、光源１０を保持し導光板２０，２０Ａ，２０Ｂにおける光源１０からの光が入光する部分を覆う化粧枠５０，５０Ｂをさらに具備する。
【００１２】
また、以下で説明する実施形態及び変形例１に係る照明器具１００，１００Ａにおいて、導光板２０，２０Ａは、導光板２０，２０Ａの平面視における第１の角２４ａ，２４Ａａ，２４Ａｂが切り欠かれた切欠部２３，２３Ａ，２３Ｂを有し、光源１０は、導光板２０，２０Ａの切欠部２３，２３Ａ，２３Ｂに形成される面に光を照射する位置に配置される。
【００１３】
また、以下で説明する変形例２に係る照明器具１００Ｂにおいて、導光板２０Ｂは、導光板２０Ｂの平面視における第１の角２４Ｂａから導光板２０Ｂの厚み方向に交差する方向に突出する凸部２５を有し、光源１０は、導光板２０Ｂの凸部２５に形成される導光板２０Ｂの厚み方向に沿う面に光を照射する位置に配置される。
【００１４】
［実施形態］
まず、本発明の実施形態に係る照明器具１００を用いた表示装置を図面に基づいて説明する。実施形態においては、本発明の実施形態に係る照明器具１００を誘導灯１に用いた場合を例示する。図１は、実施形態に係る照明器具を用いた表示装置の一例を示す図である。図２は、実施形態に係る照明器具を用いた表示装置の一例を示す分解斜視図である。
【００１５】
本実施形態に係る誘導灯１は、灯具本体２と、点灯装置３と、バッテリー４と、端子台５と、表示部材６と、照明器具１００とを具備する。以下、図１及び図２を用いて、誘導灯１の各構成について詳述する。
【００１６】
灯具本体２は、例えば正面が開放された四角形の箱からなる。図２中符号２ｂは灯具本体２をその設置箇所に固定するねじ等の固定部品が通される固定孔を示している。灯具本体２には点灯装置３が内蔵されている。点灯装置３の下部にバッテリー４が組み込まれ、点灯装置３の上部に端子台５が組み込まれている。点灯装置３に灯具本体２の裏面壁に開けられた通孔２ａを通って引き込まれる図示しない電源線が接続される。点灯装置３は、端子台５に接続された図示しない電線を介して照明器具１００への給電を担っている。バッテリー４は、その交換時に灯具本体２の底壁に開閉可能に設けられた蓋７を開けた状態で、点灯装置３のバッテリー収容部３ａに対して出し入れされる。
【００１７】
図２に示すように、照明器具１００は、光源１０と、導光板２０と、反射板３０と、拡散版４０と、化粧枠５０とを備える。図１に示すように照明器具１００は灯具本体２の開放された正面を塞いで灯具本体２に装着される。
【００１８】
以下、図２〜図５に基づいて照明器具１００の詳細を説明する。図３は、実施形態に係る照明器具を示す平面図である。図４は、実施形態に係る照明器具の要部を示す平面図である。図５は、実施形態に係る照明器具の要部を示す図４のＡ−Ａ断面図である。具体的には、図４及び図５は、図３に示す領域ＡＲ１１を拡大した図である。
【００１９】
光源１０には、例えば、ＬＥＤ（Light  Emitting  Diode）等が用いられる。なお、光源１０は、所望の光を放射する光源であれば、ＬＥＤに限らず、目的に応じて種々の光源が用いられてもよい。なお、光源１０は導光板２０の切欠部２３に配置されるが、光源１０の配置については後述する。
【００２０】
導光板２０は、互いに対向する出光面２０ｂおよび背面２０ａを有する平板状に形成され光源１０からの光を導光する。導光板２０には、例えば透明なアクリル樹脂や透明なポリカーボネイト樹脂等が用いられる。なお、導光板２０には、透光性材料であれば、目的に応じて種々の材料が用いられてもよい。導光板２０は、導光板２０の平面視において略正方形状の光取出部２１と、導光板２０の平面視において光取出部２１の一つの辺にから延伸する光入射部２２とを有する。なお、導光板２０の光入射部２２の形状については後述する。
【００２１】
反射板３０は、導光板２０の背面２０ａ側に設けられる。図２〜図５に示す例において、反射板３０は、薄板状に形成され導光板２０の背面２０ａに重ねて配置される。具体的には、反射板３０は、矩形のシート状であって、導光板２０の光入射部２２以外の部分の背面２０ａに重ねて配置される。つまり、反射板３０は、導光板２０の背面２０ａ側に設けられ、背面２０ａへ向かう光を導光板２０内へ反射する。反射板３０には、例えばアルミニウム板等が用いられる。なお、反射板３０には、高反射率を有する材料であれば、目的に応じて種々の材料が用いられてもよい。また、導光板２０の背面２０ａに鏡面加工等を施される場合、照明器具１００は、反射板３０を有さなくてもよい。
【００２２】
拡散板４０は、薄板状に形成され導光板２０の背面２０ａに対向する出光面２０ｂに重ねて配置される。具体的には、拡散板４０は、矩形のシート状であって、導光板２０の光入射部２２以外の部分の出光面２０ｂに重ねて配置される。拡散板４０は、導光板２０の出光面２０ｂ側に設けられ、出光面２０ｂから出射される光を拡散する拡散機構として用いられる。拡散板４０には、例えば透明なアクリル樹脂や透明なポリカーボネイト樹脂等が用いられ、拡散処理が施されたシートを用いる。なお、拡散板４０には、光透過性及び拡散性を有するシートであれば、目的に応じて種々のシートが用いられてもよい。また、導光板２０の出光面２０ｂに拡散処理等を施すことにより、拡散機構が導光板２０の出光面２０ｂに設けられる場合、照明器具１００は、拡散板４０を有さなくてもよい。
【００２３】
化粧枠５０は、光源１０を保持し導光板２０における光源１０からの光が入光する部分、すなわち光入射部２２を覆う。化粧枠５０には、高熱伝導率の材料、例えばアルミニウム合金が用いられてもよい。この場合、化粧枠５０は、光源１０から伝わる熱を灯具本体２の外部に効率的に放出することができる。なお、化粧枠５０の内面は、光源１０の光を反射して導光板２０に効率よく入射させるために、例えば銀色に形成されるなど、反射加工が施されてもよい。
【００２４】
ここから、照明器具１００における光源１０の配置等について説明する。まず、導光板２０は、導光板２０の平面視における第１の角２４ａが切り欠かれた切欠部２３を有する。具体的には、導光板２０は、導光板２０の平面視における光入射部２２に形成された第１の角２４ａが切り欠かれた切欠部２３を有する。ここに、導光板２０の平面視における第１の角２４ａが切り欠かれた切欠部２３には、導光板２０の厚み方向に交差する面（以下、「入射面２３ａ」とする）が形成される。
【００２５】
光源１０は、導光板２０の平面視において、導光板２０の第１の角２４ａ付近のみに配置され、第１の角２４ａの対角に位置する第２の角２４ｃ付近に向けて導光板２０に光を入射する。図２〜図５に示す例において、光源１０は、導光板２０の切欠部２３に形成される入射面２３ａに光を照射する位置に配置される。具体的には、光源１０は、光を出射する発光面１０ａを切欠部２３の入射面２３ａに対向させて配置される。例えば、光源１０は、発光面１０ａを切欠部２３の入射面２３ａに接触させて配置される。なお、光源１０の発光面１０ａと切欠部２３の入射面２３ａとの距離が短いことが好適である。これにより、照明器具１００は、光源１０から出射された光を効率的に導光板２０内へ入射させることができる。
【００２６】
図５に示すように、導光板２０の厚みよりも光源１０の高さのほうが小さい場合、光源１０は、導光板２０に対して導光板２０の厚み方向の略中央部に配置される。これにより、照明器具１００は、光源１０から出射された光が光入射部２２から外部へ出射されることを抑制でき、効率的に導光板２０内へ入射させることができる。
【００２７】
図５に示すように、導光板２０の背面２０ａには、反射機構として出光面２０ｂ側へ窪んだ複数の反射部２１ａが設けられる。図５に示す例においては、複数の反射部２１ａは、表面がディンプル（放物面）状のドットであって、略同じ深さ及び形状に形成される。なお、複数の反射部２１ａの各々の深さや形状は、目的に応じて適宜選択可能である。また、複数の反射部２１ａは、光を拡散する機能を有してもよい。なお、導光板２０において、光取出部２１に反射部２１ａが設けられ、光入射部２２には反射部２１ａは設けられない。また、図５に示す例においては、反射部２１ａがドットである場合を例に説明するが、反射部２１ａはドットに限らず、種々の構成が適宜用いられてもよい。例えば、反射部２１ａは、背面２０ａから反射板３０方向に突出して形成された凸状の突起であってもよい。また、例えば、反射部２１ａは、印刷パターンであって、当該印刷に光が当たったら反射方向が変わる印刷加工により形成されてもよい。
【００２８】
ここで、複数の反射部２１ａは、光源１０が配置される角付近における密度が最も低く、光源１０が配置される角に隣接する角付近における密度が最も高くなるように、導光板２０の背面２０ａにおける密度を段階的に変化させるように設けられる。つまり、導光板２０の背面２０ａにおいて、複数の反射部２１ａの分布は、光源１０が配置される角付近における密度が最も低く、光源１０が配置される角を形成する辺の他端に形成される角付近における密度が最も高くなる。図５に示す例においては、複数の反射部２１ａの分布は、光源１０が配置される第１の角２４ａ付近における密度が最も低く、第１の角２４ａに隣接する第３の角２４ｂ，２４ｄ付近における密度が最も高くなる。また、光源１０が配置される第１の角２４ａの対角に位置する第２の角２４ｃ付近における密度は、光源１０が配置される第１の角２４ａ付近における密度よりも高く、第１の角２４ａに隣接する第３の角２４ｂ，２４ｄ付近における密度よりも低くなる。このように、複数の反射部２１ａの分布を段階的に変化させることにより、照明器具１００は、使用する光源１０の数の増大を抑制し、均斉度の低下を抑制することができる。
【００２９】
ここから、図６〜図１２を用いて、実施形態に係る照明器具１００と従来例の照明器具５００とを比較した結果を示す。
【００３０】
まず、図６〜８を用いて、反射部の分布について説明する。図６は、従来例に係る導光板における反射部密度の分布を示す図である。具体的には、図６は、複数の光源５１０を導光板５２０の一つの辺に沿って配置した照明器具５００における反射部密度の分布を示す図である。図７は、実施形態に係る導光板における反射部密度の分布を示す図である。具体的には、図７は、光源１０を導光板２０の一つの角付近に配置した照明器具１００における反射部密度の分布を示す図である。また、図８は、実施形態に係る光源を辺付近に配置した場合の照明器具の導光板における反射部密度の分布を示す図である。具体的には、図８は、光源１０を導光板の一つの辺付近に配置した照明器具における反射部密度の分布を示す図である。
【００３１】
図６に示すように、従来例に係る照明器具５００の反射部分布Ｄ１１においては、導光板５２０の平面視における光源５１０が配置される辺の両端を除く略全域が最も反射部の密度が低く、対向する辺に向かうにつれて反射部の密度が段階的に高くなるように配置される。また、照明器具５００においては、導光板５２０の平面視における４つの角付近が最も反射部の密度が高くなるように、複数の反射部が段階的に密度を変化させて設けられる。
【００３２】
また、図７に示すように、本実施形態に係る照明器具１００の反射部分布Ｄ１２においては、複数の反射部２１ａは、光源１０が配置される角付近における密度が最も低く、角に隣接する角付近における密度が最も高くなるように、導光板２０の背面２０ａにおける密度を段階的に変化させるように設けられる。
【００３３】
また、図８に示すように、実施形態に係る光源を辺付近に配置した場合の照明器具の反射部分布Ｄ１３においては、導光板の平面視における光源１０が配置される辺の中央部が最も反射部の密度が低く、光源１０が配置される辺の両端の角に向かうにつれて反射部の密度が段階的に高くなるように配置される。
【００３４】
次に、図９〜１１を用いて、均斉度について説明する。図９は、従来例に係る照明器具の均斉度を示す図である。具体的には、図６に示す反射部の分布を有する導光板５２０を用いた照明器具５００の照度分布（均斉度）を示す図である。また、図１０は、実施形態に係る照明器具の均斉度を示す図である。具体的には、図７に示す反射部２１ａの分布を有する導光板２０を用いた照明器具１００の均斉度を示す。また、図１１は、実施形態に係る光源を辺付近に配置した場合の照明器具の均斉度を示す図である。具体的には、図８に示す反射部の分布を有する導光板を用いた照明器具の均斉度を示す。
【００３５】
ここで、均斉度の算出について説明する。本実施形態における均斉度は、各照明器具から光が照射されるワークにおける照度分布を表す指標であり、以下の数式（１）により算出される。つまり、「均斉度」は、ワークにおける最小照度を最大照度で除することより算出され、「均斉度」が１に近いほどワークにおける照度分布が均一であり、ムラの少ない照度分布になっていることを示す。なお、以下に示す比較結果を得るための測定では、光量計（照度計）として受光器を用いた。
【００３６】
均斉度  ＝  最小照度／最大照度  …  （１）
【００３７】
図９に示すように、従来例に係る照明器具５００の照度分布Ｉ１１においては、光源５１０が配置された辺に対応する箇所の照度（図９において左側の辺）が高い領域が形成される。また、図１０に示すように、実施形態に係る照明器具１００の照度分布Ｉ１２においては、光源１０が配置された角付近の照度（図１０において左下の角）を含め、全体として均一な照度分布となる。また、図１１に示すように、実施形態に係る光源１０を辺付近に配置した場合の照明器具の照度分布Ｉ１３においては、光源１０が配置された辺の中央部付近の照度（図１１において左の辺の中央部）を含め、全体としてムラの多い照度分布となる。
【００３８】
ここで、各照明器具の均斉度を数値で比較した結果について説明する。図１２は、図９〜図１１に示す均斉度を比較した結果を示す図である。「従来方式」の列は、従来例に係る照明器具５００の均斉度についての測定結果を示す。具体的には、図９に示す照明器具５００の均斉度についての測定結果を示す数値である。「本発明」の列は、実施形態に係る照明器具１００の均斉度に係る測定結果を示す。具体的には、図１０に示す照明器具１００の均斉度に係る測定結果を示す数値である。また、「その他」の列は、実施形態に係る光源を辺付近に配置した場合の照明器具の均斉度についての測定結果を示す。具体的には、図１１に示す照明器具の均斉度に係る測定結果を示す数値である。
【００３９】
図１２に示すように、「従来方式」の均斉度は「０．８２２」であり、「本発明」の均斉度は「０．８２８」であり、「その他」の均斉度は「０．６７９」であった。このように、実施形態に係る照明器具１００は、従来例に係る照明器具５００及び実施形態に係る光源を辺付近に配置した場合の照明器具よりも、均斉度の良い構成であることが測定結果として得られた。つまり、入射方向を辺から角に変えても照度ムラには大きな変化が見られず近い照度均斉度をもっていると考える。また、１つの光源１０を用いて辺から光を入射した場合、つまり、実施形態に係る光源１０を辺付近に配置した照明器具においては、本実施形態の照明器具１００の照度分布と比較して、光源１０が配置された辺の中央部付近の照度が高い。このような比較結果から、光源１個あたりの光束値または光源効率が上がっていくとき、従来通りに導光板の辺に沿って光源を配置すると照射面でのムラに繋がりやすくなるため、導光板の角付近に光源を配置するほうが好適であると考えられる。
【００４０】
なお、上記の比較結果においては、略同じ深さ及び形状の反射部を設け、反射部の個数のみに基づいて分布を算出する。各反射部の深さや形状が異なる場合は、反射部の表面積等に基づいて分布を算出してもよい。また、導光板の背面に反射部を設けない構成においても、導光板の平面視における辺に沿って１つの光源を配置した場合に比べて、導光板の平面視における角付近に１つの光源を配置したほうが均斉度の低下を抑制することができる。また、図７に示す反射部の分布の例においては、導光板２０の平面視において光取出部２１が略正方形状である場合を示している。そのため、第１の角２４ａに隣接する第３の角２４ｂ，２４ｄ付近における密度が最も高くなるように、導光板２０の背面２０ａにおける密度を段階的に変化させるように設けられる。しかしながら、例えば、導光板２０の光取出部２１が長方形状である場合、光源１０が配置される角に隣接する角付近における反射部の密度は、光源１０が配置される角との間の距離に応じて異なってもよい。例えば、導光板２０の光取出部２１が長方形状である場合、光源１０が配置される角に隣接する角のうち、光源１０が配置される角との距離が長い角付近における反射部の密度のほうが、光源１０が配置される角に隣接する角のうち他方の角付近における反射部の密度よりも高くなってもよい。
【００４１】
前述した構成の実施形態に係る照明器具１００は、互いに対向する出光面２０ｂおよび背面２０ａを有し、光を導光する平板状の導光板２０と、導光板２０の背面２０ａ側に設けられ、導光板２０の背面２０ａに設けられ、背面２０ａへ向かう光を導光板２０の出光面２０ｂ側へ反射する反射機構と、導光板２０の平面視において、導光板２０の第１の角２４ａ付近のみに配置され、第１の角２４ａの対角に位置する第２の角２４ｃ付近に向けて導光板２０に光を入射する光源１０とを具備する。これにより、照明器具１００は、光源１０を導光板２０の第１の角２４ａ付近のみに配置することにより、べゼルレス化することができる。また、照明器具１００は、光源１０を導光板２０の第１の角２４ａ付近に配置することにより、従来例の照明器具５００では暗部であった導光板の角にも光を十分に照射することができる。
【００４２】
また、前述した構成の実施形態に係る照明器具１００において、反射機構は、複数の反射部２１ａを含み、複数の反射部２１ａは、光源１０が配置される第１の角２４ａ付近における密度が最も低く、第１の角２４ａに隣接する第３の角２４ｂ，２４ｄ付近における密度が最も高く、第２の角２４ｃ付近の密度は第１の角２４ａ付近の密度と第３の角２４ｂ，２４ｄ付近の密度との間になるように、導光板２０の背面２０ａにおける密度を段階的に変化させるように設けられる。これにより、照明器具１００は、使用する光源１０の数の増大を抑制し、均斉度の低下を抑制することができる。
【００４３】
また、前述した構成の実施形態に係る照明器具１００は、光源１０を保持し導光板２０における光源１０からの光が入光する部分を覆う化粧枠５０をさらに具備する。これにより、照明器具１００は、光源１０を覆うことができ、意匠性の低下を抑制できる。また、照明器具１００は、導光板２０全体を化粧枠５０で覆わないことでベゼルレス化し、出光面２０ｂ端部まで光を行き渡らせることができる。
【００４４】
また、前述した構成の実施形態に係る照明器具１００において、導光板２０は、導光板２０の平面視における第１の角２４ａが切り欠かれた切欠部２３を有し、光源１０は、導光板２０の切欠部２３に形成される面（入射面２３ａ）に光を照射する位置に配置される。これにより、照明器具１００は、使用する光源１０の数の増大を抑制し、均斉度の低下を抑制することができる。
【００４５】
［変形例１］
照明器具において光が入射される第１の角は、実施形態に示した例に限られず、目的に応じて複数の第１の角から光が入射されてもよれてもよい。この点について、変形例１に係る照明器具１００Ａを図面に基づいて説明する。図１３は、変形例１に係る照明器具を示す平面図である。なお、図１３において、実施形態に係る照明器具１００と同一部分には、同一符号を付する。
【００４６】
図１３に示す例において、照明器具１００Ａにおける導光板２０Ａは、導光板２０Ａの平面視における第１の角が切り欠かれた複数の切欠部２３Ａ，２３Ｂを有する。具体的には、導光板２０Ａは、実施形態に係る照明器具１００の切欠部２３と同様に第１の角２４Ａａが切り欠かれた切欠部２３Ａに加えて、導光板２０Ａの平面視における光入射部２２Ａの切欠部２３Ａとは反対側の第１の角２４Ａｂ（図１３においては右側）が切り欠かれた切欠部２３Ｂを有する。図１３に示す例においては、第１の角２４Ａａに隣接する角２４Ａｂ，２４Ａｄの一方の角であるもう１つの第１の角２４Ａｂが切り欠かれた切欠部２３Ｂを有する。ここに、導光板２０Ａの平面視における第１の角２４Ａｂが切り欠かれた切欠部２３Ｂには、導光板２０Ａの厚み方向に交差する面（以下、「入射面２３Ｂａ」とする）が形成される。
【００４７】
光源１０は、導光板２０Ａの切欠部２３Ａ，２３Ｂに形成される入射面２３Ａａ，２３Ｂａに光を照射する位置に配置される。具体的には、光源１０は、光を出射する発光面１０ａを切欠部２３Ｂの入射面２３Ｂａに対向させて配置され、第１の角２４Ａｂの対角に位置する第２の角２４Ａｄ付近に向けて導光板２０Ａに光を入射する。例えば、光源１０は、発光面１０ａを切欠部２３Ｂの入射面２３Ｂａに接触させて配置される。なお、光源１０の発光面１０ａと切欠部２３Ｂの入射面２３Ｂａとの距離が短いことが好適である。また、切欠部２３Ａの入射面２３Ａａにも光源１０が光を出射する発光面１０ａを対向させて配置され、第１の角２４Ａａの対角に位置する第２の角２４Ａｃ付近に向けて導光板２０Ａに光を入射する。これにより、照明器具１００は、光入射部２２Ａの両端（図１３においては左右両端）に配置された光源１０から出射された光を効率的に導光板２０内へ入射させることができる。このように、照明器具１００Ａは、複数の第１の角２４Ａａ，２４Ａｂ付近に光源１０を配置してもよい。
【００４８】
［変形例２］
また、照明器具における導光板の形状は、目的に応じ種々の形状に形成されてもよい。この点について、変形例２に係る照明器具１００Ｂを図面に基づいて説明する。図１４は、変形例２に係る照明器具を示す平面図である。また、図１５は、変形例２に係る照明器具の要部を示す平面図である。具体的には、図１５は、図１４に示す領域ＡＲ１２を拡大した図である。なお、図１４及び図１５において、実施形態に係る照明器具１００と同一部分には、同一符号を付する。
【００４９】
照明器具１００Ｂは、導光板２０Ｂが切欠部２３および光入射部２２を有しない点において照明器具１００と相違する。ここに、照明器具１００Ｂにおける導光板２０Ｂは、導光板２０Ｂの平面視における第１の角２４Ｂａから導光板２０Ｂの厚み方向に交差する方向に突出する凸部２５を有する。具体的には、導光板２０Ｂは、導光板２０Ｂの平面視における第１の角２４Ｂａから導光板２０Ｂの厚み方向に交差する方向に突出する凸部２５を有する。なお、照明器具１００Ｂにおいても、反射機構は、複数の反射部を含み、複数の反射部は、光源１０が配置される第１の角２４Ｂａ付近における密度が最も低く、第１の角２４Ｂａに隣接する第３の角２４Ｂｂ，２４Ｂｄ付近における密度が最も高く、第２の角２４Ｂｃ付近の密度は第１の角２４Ｂａ付近の密度と第３の角２４Ｂｂ，２４Ｂｄ付近の密度との間になるように、導光板２０Ｂの背面における密度を段階的に変化させるように設けられる。
【００５０】
また、図１４及び図１５に示すように、照明器具１００Ｂにおける光源１０は、導光板２０Ｂの凸部２５に形成される導光板２０Ｂの厚み方向に沿う面に光を照射する位置に配置され、第１の角２４Ｂａの対角に位置する第２の角２４Ｂｃ付近に向けて導光板２０Ｂに光を入射する。図１４及び図１５に示す例において、光源１０は、第１の角２４Ｂａの対角に位置する第２の角２４Ｂｃを通る対角線状に位置する面（以下、「入射面２５ａ」とする）に光を照射する位置に配置される。具体的には、光源１０は、光を出射する発光面１０ａを凸部２５の入射面２５ａに対向させて配置される。例えば、光源１０は、発光面１０ａを凸部２５の入射面２５ａに接触させて配置される。なお、光源１０の発光面１０ａと凸部２５の入射面２５ａとの距離が短いことが好適である。これにより、照明器具１００Ｂは、光源１０から出射された光を効率的に導光板２０Ｂ内へ入射させることができる。
【００５１】
また、照明器具１００Ｂは、光源１０を保持し導光板２０Ｂにおける光源１０からの光が入光する部分を覆う化粧枠５０Ｂを有してもよい。この点について図１６に基づいて説明する。図１６は、変形例２に係る化粧枠を有する照明器具の要部を示す平面図である。
【００５２】
図１６に示す例において、化粧枠５０Ｂは、矩形箱状に形成され、光源１０及び入射面２５ａを含む凸部２５の一部を覆うように設けられる。このように、光源１０を配置した導光板２０Ｂの第１の角２４Ｂａ付近のみに化粧枠５０Ｂを設けることにより、化粧枠５０Ｂにより照明器具１００Ｂが大型化することを抑制できる。また、これにより、照明器具１００Ｂは、ベゼルレス化することができる。なお、図１６に示す例においては、化粧枠５０Ｂが光源１０及び入射面２５ａを含む凸部２５の一部を覆う例を示したが、化粧枠５０Ｂは、光源１０及び凸部２５全体を覆う構成であってもよい。これにより、凸部２５全体が覆われるため、意匠性の向上や凸部２５から外部へ光が放射されることを抑制できる。
【００５３】
前述した構成の変形例２に係る照明器具１００Ｂにおいて、導光板２０Ｂは、導光板２０Ｂの平面視における第１の角２４Ｂａから導光板２０Ｂの厚み方向に交差する方向に突出する凸部２５を有し、光源１０は、導光板２０Ｂの凸部２５に形成される導光板２０Ｂの厚み方向に沿う面（入射面２５ａ）に光を照射する位置に配置される。これにより、照明器具１００Ｂは、使用する光源１０の数の増大を抑制し、均斉度の低下を抑制することができる。
【００５４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５５】
１００  照明器具
１０    光源
１０ａ  発光面
２０    導光板
２０ａ  背面
２０ｂ  出光面
２１    光取出部
２１ａ  反射部
２２    光入射部
２３    切欠部
２３ａ  入射面
２４ａ  第１の角
２４ｂ  第３の角
２４ｃ  第２の角
２４ｄ  第３の角
３０    反射板
４０    拡散版
５０    化粧枠
【図１】
2016181444.tif 000003
【図２】
2016181444.tif 000004
【図３】
2016181444.tif 000005
【図４】
2016181444.tif 000006
【図１３】
2016181444.tif 000007
【図１４】
2016181444.tif 000008
【図１５】
2016181444.tif 000009
【図１６】
2016181444.tif 000010
【図１７】
2016181444.tif 000011
【図１８】
2016181444.tif 000012
【図５】
2016181444.tif 000013
【図６】
2016181444.tif 000014
【図７】
2016181444.tif 000015
【図８】
2016181444.tif 000016
【図９】
2016181444.tif 000017
【図１０】
2016181444.tif 000018
【図１１】
2016181444.tif 000019
【図１２】
2016181444.tif 000020